(57)【要約】【課題】小型化を実現できる鏡枠及び撮像装置を提供する。【解決手段】鏡枠１は、第１のズームレンズ２を支持する第１のズームレンズ支持枠４と、第２のズームレンズ３（３ａ，３ｂ）を支持する第２のズームレンズ支持枠５と、回動することで第１のズームレンズ支持枠４及び第２のズームレンズ支持枠５をそれらの光軸方向に移動させるカム板部材８と、第１のズームレンズ支持枠４とカム板部材８とのうち一方に光軸方向に交差して立設され、他方に設けられた第１のカム溝部８ａに係合する第１のカム凸部（第１のカムピン６）と、第２のズームレンズ支持枠５とカム板部材８とのうち一方に光軸方向に交差して立設され、他方に設けられた第２のカム溝部８ｂに係合する第２のカム凸部（第２のカムピン７）と、を備える。【選択図】図１
2012063475.tif 000002
【特許請求の範囲】
【請求項１】
第１のズームレンズを支持する第１のズームレンズ支持枠と、
第２のズームレンズを支持する第２のズームレンズ支持枠と、
回動することで前記第１のズームレンズ支持枠及び前記第２のズームレンズ支持枠をそれらの光軸方向に移動させるカム板部材と、
前記第１のズームレンズ支持枠と前記カム板部材とのうち一方に前記光軸方向に交差して立設され、他方に設けられた第１のカム溝部に係合する第１のカム凸部と、
前記第２のズームレンズ支持枠と前記カム板部材とのうち一方に前記光軸方向に交差して立設され、他方に設けられた第２のカム溝部に係合する第２のカム凸部と、を備えることを特徴とする鏡枠。
【請求項２】
前記第１のカム溝部及び前記第２のカム溝部は、前記カム板部材に設けられ、
前記第１のカム凸部は、前記第１のズームレンズ支持枠に立設され、
前記第２のカム凸部は、前記第２のズームレンズ支持枠に立設されていることを特徴とする請求項１に記載の鏡枠。
【請求項３】
前記第１のズームレンズ及び前記第２のズームレンズの前記光軸方向の出射側に位置する撮像レンズをさらに備えることを特徴とする請求項１に記載の鏡枠。
【請求項４】
前記第１のズームレンズ及び前記第２のズームレンズの前記光軸方向の入射側に位置し、入射光を折り曲げる折り曲げ光学素子をさらに備えることを特徴とする請求項１に記載の鏡枠。
【請求項５】
前記折り曲げ光学素子の入射光軸方向の入射側に位置する入射レンズをさらに備え、
前記カム板部材は、前記第１のズームレンズ支持枠及び前記第２のズームレンズ支持枠よりも、前記入射レンズの入射側方向に設けられていることを特徴とする請求項４に記載の鏡枠。
【請求項６】
前記カム板部材は、前記光軸方向と平行に、且つ前記入射レンズの入射面よりも前記入射光軸方向の入射側方向に突出しない位置に、設けられていることを特徴とする請求項５に記載の鏡枠。
【請求項７】
少なくとも一部が前記折り曲げ光学素子の反射面の背面側に位置し前記カム板部材を回動させる駆動部をさらに備えることを特徴とする請求項４に記載の鏡枠。
【請求項８】
前記駆動部の動力を前記カム板部材に伝達する動力伝達部と、
前記第１のズームレンズ支持枠及び前記第２のズームレンズ支持枠を移動可能に支持する固定枠と、をさらに備え、
前記折り曲げ光学素子は、前記固定枠に対して位置調整可能に配置され、
前記動力伝達部及び前記駆動部は、前記固定枠に固定されていることを特徴とする請求項７記載の鏡枠。
【請求項９】
前記カム板部材には、その外周部分に歯が形成されており、当該歯に噛合する前記動力伝達部によって前記駆動部の動力が伝達されることを特徴とする請求項８に記載の鏡枠。
【請求項１０】
前記動力伝達部は、ギア列を有することを特徴とする請求項８に記載の鏡枠。
【請求項１１】
請求項１乃至１０のいずれか１項に記載の鏡枠と、
前記鏡枠からの出射光を受光して撮像信号を出力する撮像素子と、
前記鏡枠の少なくともズームレンズ制御を行う制御部と、を備えることを特徴とする撮像装置。
【発明の詳細な説明】
【技術分野】
【０００１】
本発明は、光軸方向に移動可能な複数のズームレンズ支持枠を備える鏡枠、及び、この鏡枠を備える撮像装置に関する。
【背景技術】
【０００２】
近年、撮像装置は、携帯電話等への搭載を目的に小型軽量化且つ高性能化が求められている。これを解決するための技術として、例えば特許文献１には、薄型化された折り曲げ光学系を用いたコンパクトなズーム機構を搭載した撮像装置に関する技術が開示されている。
【０００３】
特許文献１で開示されている技術では、ズーム機構は、移動鏡枠の位置を決めるためのカム部が外周面に形成された軸状のカム部材と、このカム部材を回転させるモータとを有し、カム部材は、少なくとも軸方向で一部分が反射光学素子の側面に隣接するように配置されている。
【先行技術文献】
【特許文献】
【０００４】
【特許文献１】特開２００５−１０２８１号公報
【発明の概要】
【発明が解決しようとする課題】
【０００５】
しかしながら、特許文献１の技術では、軸状のカム部材にはカム部であるカム溝が形成されるため、軸状のカム部材を極端に小径にすることはできず、ズーム機構搭載の撮像装置の小型化が困難である。
【０００６】
また、一般にズームのために複数のレンズ群を同時に移動させるためには大きなトルクを必要とするが、特許文献１の技術では、軸状のカム部材を用いるため、カム溝を形成できるスペースが限られてしまうため、カム部材の圧力角を小さくすることができず、この点でも大きなトルクを必要とする。
【０００７】
大きなトルクを確保するためには、ギヤを沢山並べて減速するか、又は大きなトルクを有する大きなモータを使用する必要がある。どちらにしても大きなスペースを必要とし、小型化できない。
【０００８】
そこで本発明は、前述した課題に鑑みてなされたものであり、小型化を実現できる鏡枠及び撮像装置の提供を目的とする。
【課題を解決するための手段】
【０００９】
前述した目的を達成するために、本発明の態様のひとつである鏡枠は、第１のズームレンズを支持する第１のズームレンズ支持枠と、第２のズームレンズを支持する第２のズームレンズ支持枠と、回動することで第１のズームレンズ支持枠及び第２のズームレンズ支持枠をそれらの光軸方向に移動させるカム板部材と、第１のズームレンズ支持枠とカム板部材とのうち一方に光軸方向に交差して立設され、他方に設けられた第１のカム溝部に係合する第１のカム凸部と、第２のズームレンズ支持枠とカム板部材とのうち一方に光軸方向に交差して立設され、他方に設けられた第２のカム溝部に係合する第２のカム凸部と、を備えることを特徴とする。
【００１０】
また、本発明の別の態様のひとつである撮像装置は、本発明に係る鏡枠と、鏡枠からの出射光を受光して撮像信号を出力する撮像素子と、鏡枠の少なくともズームレンズ制御を行う制御部と、を備えることを特徴とする。
【発明の効果】
【００１１】
本発明によれば、小型化を実現できる鏡枠及び撮像装置を提供できる。
【図面の簡単な説明】
【００１２】
【図１】本発明の一実施の形態に係る撮像装置の概略構成を示す正面図である。
【図２】本発明の一実施の形態に係る撮像装置の内部の概略構成を示す断面図である。
【図３】本発明の一実施の形態に係る撮像装置の概略構成を示す分解斜視図である。
【図４】本発明の一実施の形態に係る、折り曲げ光学系を取り外した状態の撮像装置の概略構成を示す斜視図である。
【発明を実施するための形態】
【００１３】
以下、本発明の一実施の形態に係る鏡枠及び撮像装置について、図面を参照しながら説明する。
【００１４】
図１〜図４に示すように、撮像装置１００は、鏡枠１と、この鏡枠１からの出射光を受光して撮像信号を出力する撮像素子１１１を有する撮像素子基板１１０と、鏡枠１の少なくともズームレンズ制御を行う制御部１２０と、を備える。撮像装置１００は、例えば、携帯電話機等の通信機器、或いはその他の電子機器に配置される。
【００１５】
鏡枠１は、第１のズームレンズ２と、第２のズームレンズ３（３ａ，３ｂ）と、第１のズームレンズ支持枠４と、第２のズームレンズ支持枠５と、第１のカムピン（第１のカム凸部の一例）６と、第２のカムピン（第２のカム凸部の一例）７と、カム板部材８と、撮像レンズ９と、プリズム（折り曲げ光学素子の一例）１０ａ及び入射レンズ１０ｂを有する折り曲げ光学系１０と、駆動部１１と、動力伝達部を構成するギア列１２と、固定枠１３と、ガイド軸１４と、回転止め軸１５と、スペーサ１６と、を備える。
【００１６】
図２に示すように、第１のズームレンズ２は、第１のズームレンズ支持枠４により支持されている。本実施の形態では２つ配置された第２のズームレンズ３（３ａ，３ｂ）は、第２のズームレンズ支持枠５により支持され、第１のズームレンズ２よりも光軸方向Ｄ１の出射側（図中下方）に位置する。
【００１７】
図２及び図３に示すように、第１のズームレンズ支持枠４及び第２のズームレンズ支持枠５は、互いに独立して移動可能に、光軸方向Ｄ１（光軸Ａ１）に延びるガイド軸１４によって支持されている。なお、図３に示すように、第２のズームレンズ支持枠５は、ガイド軸１４と、このガイド軸１４と平行に配置された回転止め軸１５とに沿って光軸方向Ｄ１（光軸Ａ１）へ移動する。また、ガイド軸１４には、第１のズームレンズ支持枠４と第２のズームレンズ支持枠５とを互いに遠ざかる方向に付勢する図示しない圧縮バネ（付勢機構の一例）が設けられている。
【００１８】
図１〜図４に示すように、第１のカムピン６は、第１のズームレンズ支持枠４に光軸方向Ｄ１に直交（交差）して立設されている。また、第２のカムピン７は、第２のズームレンズ支持枠５に光軸方向Ｄ１に直交（交差）して立設されている。
【００１９】
本実施の形態では、第１のカムピン６及び第２のカムピン７は、第１のズームレンズ支持枠４及び第２のズームレンズ支持枠５とは独立した部材で、第１のズームレンズ支持枠４及び第２のズームレンズ支持枠５に固定されているが、第１のズームレンズ支持枠４及び第２のズームレンズ支持枠５と一体に形成されたカムピンであってもよい。
【００２０】
カム板部材８は、ギア列１２のうちの１つのギア１２ａに噛合する歯８ｃが外周に形成された円板形状を呈し、中央には中央貫通孔８ｄが形成されている。また、カム板部材８は、中央貫通孔８ｄにおいて、固定枠１３に設けられたカム板回動軸ピン１３ａにより回動可能に支持されている。このカム板回動軸ピン１３ａは、光軸方向Ｄ１に直交（交差）し、カム板部材８の回動軸として機能する。
【００２１】
なお、本実施の形態ではカム板部材８が３６０度回動しないため、歯８ｃは、カム板部材８の外周の一部のみに形成されている。また、カム板部材８の材料は特に限定されないが、カム板部材８を薄板とすることで鏡枠１や撮像装置１００を薄くすることができるため、特にカム板部材８を薄くする場合には、撮像装置１００の落下耐性等の観点からは金属を用いて強度を確保するのが好ましい。
【００２２】
カム板部材８には、第１のカムピン６に係合する第１のカム溝部８ａと、第２のカムピン７に係合する第２のカム溝部８ｂとが、カム板部８の周方向に、本実施の形態では厚み方向に貫通して形成されている。これら第１のカム溝部８ａ及び第２のカム溝部８ｂは、周方向の一方にいくほど中央貫通孔８ｄとの距離が長くなり、周方向の他方にいくほど中央貫通孔８ｄとの距離は短くなるように、互いに独立して形成されている。
【００２３】
そのため、第１のカムピン６及び第２のカムピン７との第１のカム溝部８ａ及び第２のカム溝部８ｂの係合位置は、カム板部材８が回動することで変化し、第１のカムピン６及び第２のカムピン７が設けられた第１のズームレンズ支持枠４及び第２のズームレンズ支持枠５が光軸方向Ｄ１に接近する、又は遠ざかる。
【００２４】
なお、第１のカムピン６及び第２のカムピン７は、固定枠１３に設けられ光軸方向Ｄ１に延びるカムピン貫通用溝１３ｃ，１３ｄを貫通してカム板部材８の第１のカム溝部８ａ及び第２のカム溝部８ｂに挿入されている。
【００２５】
本実施の形態では、カム板部材８が図１の正面視において時計回りに回転すると、図１に示すように、第１のカムピン６及び第２のカムピン７が第１のカム溝部８ａ及び第２のカム溝部８ｂに沿って中央貫通孔８ｄ（カム板回動軸ピン１３ａ）から遠ざかって、第１のズームレンズ支持枠４及び第２のズームレンズ支持枠５が広角側に移動する。
【００２６】
一方、カム板部材８は、図１の正面視において反時計回りに回転すると、第１のカムピン６及び第２のカムピン７が第１のカム溝部８ａ及び第２のカム溝部８ｂに沿って中央貫通孔８ｄ（カム板回動軸ピン１３ａ）に近づいて、第１のズームレンズ支持枠４及び第２のズームレンズ支持枠５が望遠側に移動する。
【００２７】
なお、本実施の形態では、カム板部材８に第１のカム溝部８ａ及び第２のカム溝部８ｂが設けられ、第１のズームレンズ支持枠４及び第２のズームレンズ支持枠５にそれぞれ第１のカムピン６及び第２のカムピン７が設けられているため後述するように鏡枠１及び撮像装置１００のより一層の小型化を実現することができるが、カム板部材８の例えばカム溝部８ａ，カム溝部８ｂが設けられている部分に第１のカム凸部及び第２のカム凸部を立設し、これら第１のカム凸部及び第２のカム凸部に係合する第１のカム溝部及び第２のカム溝部をそれぞれ第１のズームレンズ支持枠４及び第２のズームレンズ支持枠５に設けるようにしてもよい。
【００２８】
図２に示すように、撮像レンズ９は、第１のズームレンズ２及び第２のズームレンズ３よりも光軸方向Ｄ１の出射側に位置する。具体的には、撮像レンズ９は、鏡枠１の下端に位置し、固定枠１３により支持されている。
【００２９】
折り曲げ光学系１０のプリズム１０ａは、第１のズームレンズ２及び第２のズームレンズ３よりも光軸方向Ｄ１の入射側に位置し、入射光（入射光軸Ａ２）を直角に折り曲げる。
入射レンズ１０ｂは、プリズム１０ａの入射光軸方向Ｄ２の入射側に位置する。
【００３０】
前述のカム板部材８は、固定枠１３のカム板収容凹部１３ｂに外側から収容され、第１のズームレンズ支持枠４及び第２のズームレンズ支持枠５よりも、入射レンズ１０ｂの入射光軸方向Ｄ２の入射側方向（図中左側）に設けられている。
【００３１】
入射レンズ１０ｂは、入射光軸方向Ｄ２の入射側に固定枠１３から突出している。そして、カム板部材８は、前述のように回動中心となるカム板回動軸ピン１３ｂが光軸方向Ｄ１に直交するように設けられており、光軸方向Ｄ１と平行に配置されている。また、カム板部材８は、入射レンズ１０ｂの入射面よりも入射光軸方向Ｄ２の入射側方向に突出しない位置に設けられている。
【００３２】
図３及び図４に示すように、駆動部１１は、駆動源としてのモータ１１ａと、平面視において（図の上側から見て）略Ｌ字状のフランジ部１１ｂと、を有する。また、図２に示すように、駆動部１１は、少なくとも一部としてのモータ１１ａが、プリズム１０ａの反射面１０ａ−１の背面側に位置する。
【００３３】
モータ１１ａは、ギア列１２を回動（即ち両方向に回転）させることが可能である。モータ１１ａの動力は、複数のギア１２ｃ，１２ｂ，１２ａを有するギア列１２によってカム板部材８に伝達される。ギア列１２のギア１２ｃ，１２ｂ，１２ａは、回動可能に固定枠１３に対して固定されている。なお、カム板部材８側のギア１２ａは、前述のように、カム板部材８の歯８ｃに噛合して、カム板部材８を回動させる。
【００３４】
制御部１２０は、モータ１１ａの駆動制御を行うことで、第１のズームレンズ支持枠４及び第２のズームレンズ支持枠５の移動制御、即ちズームレンズ制御を行う。なお、制御部１２０は、鏡枠１のズームレンズ制御以外に、例えば撮像素子１１１から出力される撮像信号を処理するなどの他の制御を行うようにしてもよい。
【００３５】
フランジ部１１ｂには、周縁に略Ｕ字状の切り欠き１１ｂ−１が形成されている。また、フランジ部１１ｂには、２つの貫通孔１１ｂ−２，１１ｂ−３が光軸方向Ｄ１である厚み方向に形成されている。
【００３６】
図４に示すように、フランジ部１１ｂの切り欠き１１ｂ−１及び一方の貫通孔１１ｂ−２には、駆動部１１の位置決め及び回転止めのために、固定枠１３から上方に突出するピン１３ｅ，１３ｆが挿入されている。
【００３７】
フランジ部１１ｂの他方の貫通孔１１ｂ−３には、駆動部１１を固定枠１３に固定するための図示しないネジが挿入される。
固定枠１３には、ピン１３ｇ，１３ｈ，１３ｉが設けられている。
【００３８】
固定枠１３のピン１３ｇ，１３ｈ，１３ｉは、折り曲げ光学系１０の底に形成された図示しない挿入孔に挿入される。このようにして、折り曲げ光学系１０は、固定枠１３に対して位置決め及び回転止めされている。
【００３９】
固定枠１３の２つのピン１３ｇ，１３ｈ及び挿入孔１３ｊの計３箇所には、リング状のスペーサ１６が積み重ねられている。このスペーサ１６の枚数調整によって、折り曲げ光学系１０は、傾き調整（位置調整の一例）されている。
【００４０】
前述のように、プリズム１０ａは、固定枠１３に対して位置調整可能に配置され、ギア列１２及び駆動部１１は、固定枠１３に固定されている。そのため、従来のように、互いに連動するギアが折り曲げ光学系１０側と固定枠１３側とにそれぞれ設けられている場合に生じる位置ズレ、即ちプリズム１０ａの傾き調整に起因するギア列１２及び駆動部１１の位置ズレが防止される。
【００４１】
図２及び図３に示すように、撮像素子基板１１０は、撮像レンズ９の光軸方向Ｌ１の出射側において、例えば、固定枠１３の底板等に固定されている。撮像素子基板１１０の撮像素子１１１は、鏡枠１からの出射光、即ち撮像レンズ９からの出射光を受光して撮像信号を出力する。この撮像信号は、例えば、図２に示す前述の制御部１２０に送られる。
【００４２】
ここで、前述の撮像装置１を用いたズームレンズ制御について説明するが、前述の説明と重複する点については適宜省略しながら説明する。
まず、第１のズームレンズ支持枠４及び第２のズームレンズ支持枠５を互いに遠ざかる方向である広角側に移動させる場合について説明する。
【００４３】
図２に示す制御部１２０は、駆動部１１のモータ１１ａを駆動し、ギア列１２を介してカム板部材８に動力を伝達する。このとき、図１に示すように、ギア列１２のうちカム板部材８側のギア１２ａは、カム板部材８の外周の一部に設けられた歯８ｃに噛合し、カム板部材８を図１の正面視において時計回りに回転させる。
【００４４】
これにより、図１に示すように、カムピン貫通用溝１３ｃ，１３ｄを貫通する第１のカムピン６及び第２のカムピン７は、カム板部材８の周方向に延びる第１のカム溝部８ａ及び第２のカム溝部８ｂに沿って中央貫通孔８ｄ（カム板回動軸ピン１３ａ）から遠ざかる。このようにして、第１のカムピン６が設けられた第１のズームレンズ支持枠４、及び、第２のカムピン７が設けられた第２のズームレンズ支持枠５は、互いに遠ざかって広角側に移動する。
【００４５】
次に、第１のズームレンズ支持枠４及び第２のズームレンズ支持枠５を互いに接近する方向である望遠側に移動させる場合について説明する。
この場合、駆動部１１のモータ１１ａ及びギア列１２は、カム板部材８を図１の正面視において反時計回りに回転させる。
【００４６】
これにより、第１のカムピン６及び第２のカムピン７は、カム板部材８の第１のカム溝部８ａ及び第２のカム溝部８ｂに沿って中央貫通孔８ｄ（カム板回動軸ピン１３ａ）に接近する。このようにして、第１のカムピン６が設けられた第１のズームレンズ支持枠４、及び第２のカムピン７が設けられた第２のズームレンズ支持枠５は、互いに接近して望遠側に移動する。
【００４７】
以上説明した本実施の形態に係る鏡枠１及び撮像装置１００では、カム板部材８は、回動することで第１のズームレンズ支持枠４及び第２のズームレンズ支持枠５をそれらの光軸方向Ｄ１に移動させる。また、第１のカムピン（第１のカム凸部の一例）６は、第１のズームレンズ支持枠４とカム板部材８とのうち一方に光軸方向Ｄ１に交差して立設され、他方に設けられた第１のカム溝部８ａに係合する。また、第２のカムピン（第２のカム凸部の一例）７は、第２のズームレンズ支持枠５とカム板部材８とのうち一方に光軸方向Ｄ１に交差して立設され、他方に設けられた第２のカム溝部８ｂに係合する。
【００４８】
そのため、カム板部材８が板形状（本実施の形態では円板形状）を呈することで、カム板部材８の配置スペースを薄くすることができ、例えば、プリズム１０ａ、第１のズームレンズ支持枠４、第２のズームレンズ支持枠５等の周囲のスペースを縮小することができる。また、カム板部材８を回動させることで、減速比を大きくとることができ、したがって、ギヤを沢山並べて減速したり、又は大きなトルクを有する大きなモータを使用したりしなくともよくなり、ギアやモータのスペースを縮小することもできる。
【００４９】
よって、本実施の形態によれば、小型化を実現できる鏡枠１及び撮像装置１００を提供できる。
【００５０】
また、本実施の形態では、第１のカム溝部８ａ及び第２のカム溝部８ｂは、カム板部材８に設けられ、第１のカムピン６は第１のズームレンズ支持枠４に立設され、第２のカムピン７は、第２のズームレンズ支持枠５に立設されている。そのため、本実施の形態では、カム板部材８と第１のズームレンズ支持枠４及び第２のズームレンズ支持枠５とを係合させる構成を簡素にすることができ、より一層の小型化を実現できる。
【００５１】
また、本実施の形態では、鏡枠１及び撮像装置１００は、第１のズームレンズ２及び第２のズームレンズ３の光軸方向Ｄ１の出射側に位置する撮像レンズ９を備える。そのため、本実施の形態では、撮像レンズ９の入射側におけるズームレンズ制御を前述のように小型化した構成で実現できる。
【００５２】
また、本実施の形態では、プリズム（折り曲げ光学素子の一例）１０ａは、第１のズームレンズ２及び第２のズームレンズ３の光軸方向Ｄ１の入射側に位置し、入射光（入射光軸Ｌ２）を折り曲げる。そのため、本実施の形態では、折り曲げ光学系１０を用いた鏡枠１及び撮像装置１００におけるズームレンズ制御を前述のように小型化した構成で実現できる。
【００５３】
また、本実施の形態では、入射レンズ１０ｂは、プリズム１０ａの入射側に位置し、カム板部材８は、第１のズームレンズ支持枠４及び第２のズームレンズ支持枠５よりも、入射レンズ１０ｂの入射光軸方向Ｄ２の入射側方向に設けられている。そのため、本実施の形態では、第１のズームレンズ支持枠４及び第２のズームレンズ支持枠５の周囲のスペースを有効活用することができ、より一層の小型化を実現できる。
【００５４】
また、本実施の形態では、カム板部材８は、光軸方向Ｄ１と平行に、且つ入射レンズ１０ｂの入射面よりも入射光軸方向Ｄ２の入射側方向に突出しない位置に、設けられている。そのため、より一層の小型化を実現できる。
【００５５】
また、本実施の形態では、カム板部材８を回動させる駆動部１１の少なくとも一部としてのモータ１１ａは、プリズム１０ａの反射面１０ａ−１の背面側に位置する。そのため、本実施の形態では、プリズム１０ａを一例とする折り曲げ光学素子により生じるスペースを有効活用することができ、より一層の小型化を実現できる。
【００５６】
また、本実施の形態では、プリズム１０ａを有する折り曲げ光学系１０は、固定枠１３に対して位置調整可能に配置され、ギア列（動力伝達部の一例）１２及び駆動部１１は、固定枠１３に固定されている。そのため、本実施の形態では、従来のように、互いに連動するギアが折り曲げ光学系１０側と固定枠１３側とにそれぞれ設けられている場合に生じる位置ズレ、即ちプリズム１０ａの傾き調整に起因するギア列１２及び駆動部１１の位置ズレを防止することができる。
【００５７】
また、本実施の形態では、カム板部材８には、その外周部分に歯８ｃが形成されており、この歯８ｃに噛合するギア列（動力伝達部の一例）１２によって駆動部１１の動力が伝達される。そのため、本実施の形態では、減速比を大きくとることができ、より一層の小型化を実現できる。
【００５８】
また、本実施の形態では、動力伝達部は、ギア列１２を有する（本実施の形態ではギア列１２のみからなる）。そのため、簡素な構成で小型化を実現できる。
【００５９】
なお、本実施の形態では、鏡枠１及び撮像装置１００は、折り曲げ光学系１０を備えて小型化を実現しているが、折り曲げ光学系１０を備えなくともカム板部材８を用いることによって小型化を実現することは可能である。
【００６０】
また、本実施の形態では、駆動部１１の少なくとも一部としてのモータ１１ａがプリズム１０ａの反射面１０ａ−１の背面側に位置するため、より一層の小型化を実現できるが、駆動部１１は、他のスペースに配置することも可能である。
【００６１】
その他、本発明は、前述した実施の形態に限定されることなく、本発明の要旨を逸脱しない範囲内で種々の改良・変更が可能である。
【符号の説明】
【００６２】
１      鏡枠
２      第１のズームレンズ
３      第２のズームレンズ
３ａ    入射側レンズ
３ｂ    出射側レンズ
４      第１のズームレンズ支持枠
５      第２のズームレンズ支持枠
６      第１のカムピン
７      第２のカムピン
８      カム板部材
８ａ      第１のカム溝部
８ｂ      第２のカム溝部
８ｃ      歯
８ｄ      中央貫通孔
９      撮像レンズ
１０      折り曲げ光学系
１０ａ      プリズム
１０ａ−１      反射面
１０ｂ      入射レンズ
１１      駆動部
１１ａ      モータ
１１ｂ      フランジ部
１１ｂ−１      切り欠き
１１ｂ−２，１１ｂ−３      貫通孔
１２      ギア列
１２ａ〜１２ｃ      ギア
１３      固定枠
１３ａ      カム板回動軸ピン
１３ｂ      カム板収容凹部
１３ｃ，１３ｄ      カムピン貫通用溝
１３ｅ〜１３ｉ      ピン
１３ｊ      挿入孔
１４      ガイド軸
１５      回転止め軸
１６      スペーサ
１００      撮像装置
１１０      撮像素子基板
１１１      撮像素子
１２０      制御部
Ａ１      光軸
Ａ２      入射光軸
Ｄ１      光軸方向
Ｄ２      入射光軸方向
【図１】
2012063475.tif 000003
【図２】
2012063475.tif 000004
【図３】
2012063475.tif 000005
【図４】
2012063475.tif 000006